(57)【要約】【課題】閉蓋状態に保持するための係止手段の構造を、外周縁に切込みによるエッジが生じず、成形上の加工が容易で、係止状態が容易に外れることがなく、良好な閉止強度を確保できるようにした包装用容器を提供する。【解決手段】閉蓋状態に保持するための係止手段として、容器本体１と蓋体２の１方の鍔部２２に、角状Ｕ形をなす切込み２５を形成し、他方の鍔部１２に、切込み２５の対向する両辺部２５ａ，２５ａ間の間隔より狭い間隔を存して位置する２つの切込み端１５ａ，１５ａを基端部として、切込み２５の両辺部間の間隔より長く側方に延び、かつ両端部で転回してＣ形状該係止部片１７が切込み２５の両辺部間に押し込まれて弾性変形しながら通過せしめられることにより、係止部片１７の両端部が切込み２５の両辺部の外側縁部に係止するように設ける。【選択図】図１
0003164324.tif 000002
【実用新案登録請求の範囲】
【請求項１】
合成樹脂製のシート材よりなる容器本体と蓋体とからなる包装用容器であって、容器本体と蓋体には、閉蓋時に相対して接する鍔部に閉蓋状態を保持する係止手段が設けられてなり、
前記係止手段として、容器本体と蓋体の１方の鍔部には、四角形の１辺を除いた角状Ｕ形をなす切込みが形成され、他方の鍔部には、前記角状Ｕ形の切込みの対向する両辺部間の間隔より狭い間隔を存して位置する２つの切込み端を基端部として、前記角状Ｕ形の切込みの両辺部間の間隔より両側方に長く延び、かつ両端部で転回してＣ形状に連続した切込みが形成されることにより、両切込み端間を連続部とする係止部片が設けられており、該係止部片が前記角状Ｕ形の切込みの両辺部間に押し込まれて弾性変形しながら通過せしめられることにより、該係止部片の両端部が前記角状Ｕ形の切込みの両辺部の外側縁に係止するように設けられてなることを特徴とする包装用容器。
【請求項２】
前記Ｃ形状に連続する切込みの基端部となる切込み端が所定幅で僅かに平行に切込み形成され、前記係止部片がＴ形状をなしている請求項１に記載の包装用容器。
【請求項３】
前記角状Ｕ形の切込みの内方部が押さえ片として、両辺部の外側縁部に係止する係止部片を押さえるように設けられてなる請求項１または２に記載の包装用容器。
【請求項４】
前記係止部片の両端部の幅が、他方の角状Ｕ形の切込みの両辺部間の長さより小さく形成されている請求項１〜３のいずれか１項に記載の包装用容器。
【請求項５】
前記Ｃ形状に連続する切込みの両端部が半円形をなして転回するように形成され、該切込みにより囲まれた係止部片の両端部が先端が半円形の舌片状に形成されてなる請求項１〜４のいずれか１項に記載の包装用容器。
【請求項６】
容器本体と蓋体が側辺でヒンジ部を介して一体に連接形成されてなる請求項５に記載の包装用容器。
【請求項７】
容器本体と蓋体の鍔部の外側外周に、閉蓋時に互いに嵌合する嵌合縁部が設けられてなる請求項６に記載の包装用容器。
【考案の詳細な説明】
【技術分野】
【０００１】
本考案は、主として果実や食料品等を収納するのに使用する包装用容器で、特に閉蓋状態を保持する係止手段を備える包装用容器に関するものである。
【背景技術】
【０００２】
従来より、果実その他の食料品等の各種の物品を個装状態に収納して包装する包装用容器として、薄肉の合成樹脂製のシート材を素材として、１もしくは複数の収納凹部を有する容器本体と、これに被着自在な蓋体とを形成したものが知られている。容器本体と蓋体とは、それぞれ別体に形成して蓋体を容器本体に嵌合被着自在に形成しておくほか、前記容器本体の一側辺にヒンジ部を介して蓋体を一体に連接して形成し、該蓋体をヒンジ部から折曲して容器本体に対し被着自在に設けたものもある。
【０００３】
かかる包装用容器としては、前記いずれの場合にも、容器本体に蓋体を被着した状態を安定性よく保持しておくことが望まれており、そのため従来は、蓋体による閉蓋状態を保持するために、容器本体と蓋部の鍔部の個所をステープラーで止めたり、又は接着テープを用いて閉止することが行われていた。
【０００４】
しかしながら、従来のようにステープラーや接着テープを使用した場合、開蓋操作の際には前記ステープラーの針を取り外したり、接着テープを剥す必要が有り、操作が面倒である上、ゴミが生じる問題もある。
【０００５】
そのため、合成樹脂製の成形容器からなる包装用容器において、容器本体の鍔部と蓋体の鍔部とに、互いに係止する係止構造を一体に設けることが提案されている。かかる提案の係止構造は、例えば、容器本体と蓋体の両者の鍔部の外縁側にそれぞれ外縁に開放される切り込みによる係止片部を設け、両係止片部同士を互い違いに係止するようにしたもの、あるいは貫通穴とこれに嵌合する成形凸部からなるものが普通である。前者の場合、鍔部外縁に切り込みが開放されることで切り込み端のエッジが外縁に生じることになり、開閉操作の際に容器を把持する手や指先を傷つけるおそれがあり、また後者の場合は、嵌合構造のために高精度の金型が必要になり、コスト高になるといった問題がある上、嵌合部に緩みが生じ易く充分な閉止強度が得られない虞もある。
【考案の開示】
【考案が解決しようとする課題】
【０００６】
本考案は、上記に鑑みてなしたものであり、容器本体に被着される蓋体を閉蓋状態に保持するための係止手段として、外周縁に切込みによるエッジが生じず、また成形上の加工も容易であって、しかも係止状態が容易に外れることがない閉止強度を確保でき、閉蓋状態を安定性よく保持できるようにした包装用容器を提供するものである。
【課題を解決するための手段】
【０００７】
上記の課題を解決する本考案は、合成樹脂製のシート材よりなる容器本体と蓋体とからなる包装用容器であって、容器本体と蓋体には、閉蓋時に相対して接する鍔部に閉蓋状態を保持する係止手段が設けられてなり、前記係止手段として、容器本体と蓋体の１方の鍔部には、四角形の１辺を除いた角状Ｕ形をなす切込みが形成され、他方の鍔部には、前記角状Ｕ形の切込みの対向する両辺部間の間隔より狭い間隔を存して位置する２つの切込み端を基端部として、前記角状Ｕ形の切込みの両辺部間の間隔より両側方に長く延び、かつ両端部で転回してＣ形状に連続する切込みにより、両切込み端間を連続部とする係止部片が設けられており、該係止部片が前記角状Ｕ形の切込みの両辺部間に押し込まれて弾性変形しながら通過せしめられることにより、該係止部片の両端部が前記角状Ｕ形の切込みの両辺部の外側縁に係止するように設けられてなることを特徴とする。
【０００８】
この包装用容器によれば、容器本体に蓋体を被着した閉蓋状態において係止手段を係止し閉止する際、互いに接する鍔部においてＣ形状に連続する切込みにより形成された一方側の係止部片を、他方側の角状Ｕ形の切込みの内方部に押し込んで、該係止部片の両端部を弾性変形させて角状Ｕ形の切込みの両辺部間を通過させる。これにより、通過した係止部片の両端部が元の平板状に復帰して、該両端部が角状Ｕ形の切込みの両辺部の外側縁部に係止した状態になり、この係止構造により充分な閉止強度が確保され、容易に外れることがない。
【０００９】
前記の包装用容器において、前記Ｃ形状に連続する切込みの基端部となる切込み端が所定幅で僅かに平行に切込み形成され、前記係止部片がＴ形状をなしているものとすることができる。これにより、一方側の係止部片を他方側の角状Ｕ形の切込みの内方部に押し込む際、係止部片の両端部が角状Ｕ形の切込みの両辺部間を通過できる程度に問題なく弾性変形できる。
【００１０】
前記の包装用容器において、前記角状Ｕ形の切込みの内方部が押さえ片として、両辺部の外側縁部に係止する係止部片を押さえるように設けられてなるものとすることができ、これにより前記係止部片の係止状態が安定する。
【００１１】
前記の包装用容器において、前記係止部片の両端部の幅が、他方の角状Ｕ形の切込みの両辺部間の長さより小さく形成されているものとする。これにより、前記係止部片の両端部が角状Ｕ形の切込みの両辺部間を問題なく通過して係止できる。
【００１２】
前記の包装用容器において、前記Ｃ形状に連続する切込みの両端部が半円形をなして転回するように形成され、該切込みにより囲まれた係止部片の両端部が先端が半円形の舌片状に形成されてなるものとすることができる。これにより、係止部片にエッジが生じず指先を傷つける虞がない。
【００１３】
前記の包装用容器において、容器本体と蓋体が１側辺でヒンジ部を介して一体に連接形成されてなるものとすることができる。
【００１４】
前記の包装用容器において、容器本体と蓋体の鍔部の外側外周に、閉蓋時に互いに嵌合する嵌合縁部が設けられてなるものとすることができる。
【考案の効果】
【００１５】
上記のように本考案の包装用容器によれば、容器本体に被着される蓋体を閉蓋状態に保持するための係止手段の構造において、外周縁に切込みによるエッジが生じず、また成形上の加工も容易であって、しかも係止状態が容易に外れることがない良好な閉止強度を確保でき、閉蓋状態を安定性よく保持できる。
【図面の簡単な説明】
【００１６】
【図１】本考案の包装用容器の斜視図である。
【図２】同上の果実用包装材の断面図である。
【図３】容器本体と蓋体との係止手段部分の分離した平面図である。
【図４】同上の係止部片の押し込み途中を示す平面図（ａ）とＡ−Ａ線の断面図（ｂ）である。
【図５】同上の係止部片の係止状態の平面図（ａ）とＢ−Ｂ線の断面図（ｂ）である。
【考案を実施するための形態】
【００１７】
次に本考案の実施の形態を図面に示す実施例に基づいて説明する。
【００１８】
図に示す実施例の包装用容器は、弾性を有する熱可塑性の合成樹脂のシート材、例えば非発泡で透明な比較的薄肉の合成樹脂シートから、真空成形、圧空成形等の熱成形加工の手段により成形されたもので、容器本体１と蓋体２とが１側辺に設けられたヒンジ部３を介して一体に連接形成されている。前記容器本体１には洋梨等の果実を個装状態に収納できる複数（図は３つ）の収納凹部１１が、前記蓋体２には前記収納凹部１１に収納された収納対象物の上方を覆う膨出部２１が形成されている。容器本体１の収納凹部１１及び蓋体２の膨出部２１を囲む外周部には、閉蓋時に対向して接する鍔部１２，２２を有し、その外側外周に、閉蓋時に互いに嵌合する断面Ｌ形の嵌合縁部１３、２３がそれぞれ設けられている。
【００１９】
前記容器本体１の鍔部１２と蓋体２の鍔部２２の対応個所には、閉蓋状態を保持するための係止手段が設けられている。この係止手段として、容器本体１と蓋体２の一方、例えば蓋体２の鍔部２２には、四角形の１辺を除いた角状Ｕ形をなす切込み２５が形成され、該切込み２５の内方部が前記１辺部分で他部分と連続した押さえ片２６として、後述する係止部片を押さえるように形成されている。２４，２４は前記切込み２５の切込み端を示す。図の場合、前記角状Ｕ形の切込み２５の非切込み側、つまり前記押さえ片２６の連続側を蓋体２の外周側に位置するように形成されている。
【００２０】
他方の容器本体１の鍔部１２には、前記角状Ｕ形の切込み２５との対応位置において、該切込み２５の対向する両辺部２５ａ，２５ａ間の間隔Ｗ１よりやや狭い間隔Ｗ２を存して位置する切込み端１５ａ，１５ａを基端部として、前記両辺部２５ａ，２５ａ間の間隔Ｗ１より両側方に延び、かつ両端部で転回してＣ形状に連続する切込み１５により、両切込み端１５ａ，１５ａ間を連続部１６とする係止部片１７が設けられており、該係止部片１７が前記角状Ｕ形の切込み２５の両辺部２５ａ，２５ａ間に主として指先で押し込まれて弾性変形しながら通過せしめられることにより、該係止部片１７の両端部１７ａ，１７ａが前記角状Ｕ形の切込み２５の両辺部２５ａ，２５ａの外側縁に係止するように設けられている。
【００２１】
したがって、指先での係止部片１７の押し込みを可能にするために、前記角状Ｕ形の切込み２５の両辺部２５ａ，２５ａ間の間隔Ｗ１、及び両辺部２５ａ，２５ａの長さＬ１は、通常５〜２０ｍｍ、好ましく１０〜１５ｍｍ程度に設定される。もちろん前記範囲での実施も可能である。また、前記係止部片１７を形成する切込み１５の両切込み端１５ａ，１５ａの間隔Ｗ２は、両辺部２５ａ，２５ａ間の間隔Ｗ１より０．５〜２．０ｍｍ程度小さく形成され、また，前記係止部片１７の両端部１７ａ，１７ａは前記間隔Ｗ１より２〜４ｍｍ程度長く形成され、さらに両端部１７ａ，１７ａの幅は、前記切込み２５の両辺部２５ａ，２５ａの長さＬ１よりやや小さく、例えば１〜３ｍｍ程度小さく形成される。
【００２２】
図の場合、前記Ｃ形状に連続する切込み１５の基端部となる切込み端１５ａ，１５ａが閉蓋時に前記切込み２５の非切込み側と対応する容器本体１の外周側にあって、前記幅Ｗ２で僅かに平行に切込み形成されることにより、前記係止部片１７が全体としてＴ形状をなしており、該係止部片１７を他方側の角状Ｕ形の切込み２５の内方部に押し込む際、係止部片１７の両端部が切込み２５の両辺部２５ａ，２５ａ間を通過できる程度に問題なく弾性変形できるようになっている。
【００２３】
前記の係止部片１７は、前記Ｃ形状に連続する切込み１５の両端部が半円形をなして転回した形状のために、両端部１７ａ，１７ａが半円形の舌片状に形成されており、係止部片１７の端部にエッジが生じないようになっており、これにより係止操作する指先を傷つけることがなく好ましい。
【００２４】
前記係止部片１７を形成するＣ形状の切込み１５の切込み端１５ａ，１５ａ、及び角状Ｕ形の切込み２５の切込み端２４，２４は、該切込み端からの裂損を防止するために、該切込み端を丸孔状に僅かに拡径形成しておくのが好ましい。また、図示していないが、前記切込み端１５ａ，１５ａを外方に鉤状に屈曲させて形成し、係止部片１７を屈曲させやすくすることもできる。
【００２５】
上記した包装用容器の構成材の合成樹脂のシート材としては、従来よりこの種の包装用容器に使用されている合成樹脂、例えばポリスチレン及びポリスチレンを主体とする共重合体等のポリスチレン系樹脂、ポリエチレンやポリプロピレン及びオレフィンを主体とする共重合体等のポリオレフィン系樹脂、ポリエチレンテレフタレート等のポリエステル系樹脂その他の各種の熱成形可能な合成樹脂のシートを使用できる。また、シートの厚みは、係止部片１７の押し込みの際に弾性変形できる適度の弾性を有するように適宜設定でき、例えば０．１〜１．０ｍｍ程度のものが用いられる。前記係止手段の角状Ｕ形の切込み２５，及びＣ形状の切込み１５は、シートからの成形後のトリミングの際に同時にカットして形成できる。
【００２６】
この包装用容器によれば、容器本体１に収納対象物の果実を収納して蓋体２を被着した閉蓋状態において、容器本体１と蓋体２の互いに接する鍔部１２，２２に有する係止手段を係止し閉止する際、鍔部１２，２２の一方、例えば図のように容器本体１の鍔部１２に有するＣ形状の切込み１５により形成された係止部片１７を、蓋体２の鍔部２２に有する角状Ｕ形の切込み２５の内方部に下方から押し込むようにして、図４のように該係止部片１７を湾曲状に弾性変形させて前記切込み１５の両辺部１５ａ，１５ａ間を通過させることにより、通過した係止部片１７が元の平板状に復帰することにより、図５のように該係止部片１７の両端部１７ａ，１７ａが切込み２５の両辺部１５ａ，１５ａの外側縁部に係止した状態になり、この係止構造により充分な閉止強度が確保され、係止状態が容易に外れることがなく、閉蓋状態を良好に保持できる。
【００２７】
また、蓋体２を開くために前記係止手段の係止状態を解除するには、前記係止部片１７を押さえ片２６の上から前記と反対方向に押し込むようにして、角状Ｕ形の切込み２５の内方部を通過させて抜脱すればよく、開蓋操作も容易に行える。
【００２８】
なお、上記した実施例では、蓋体に角状Ｕ形の切込み、容器本体にＣ形状の切込みによる係止部片を設けた場合を示したが、これを逆に、容器本体に角状Ｕ形の切込み、蓋体にＣ形状の切込みによる係止部片を設けて実施することもできる。
【産業上の利用可能性】
【００２９】
本考案の包装用容器は、各種の果実の包装用容器のほか、他の食品の包装用容器、食品以外の各種物品の包装用容器にも利用できる
【符号の説明】
【００３０】
１…容器本体、２…蓋体、３…ヒンジ部、１１…収納凹部、１２…鍔部１３…嵌合縁部、１５…Ｃ形状の切込み、１５ａ…切込み端、１６…連続部、１７…係止部片、１７ａ…端部、２１…膨出部、２２…鍔部、２３…嵌合縁部、２４…切込み端、２５…角状Ｕ形の切込み、２５ａ…辺部、２６…押さえ片、Ｗ１，Ｗ２…間隔，Ｌ１…長さ。
【図１】
0003164324.tif 000003
【図２】
0003164324.tif 000004
【図３】
0003164324.tif 000005
【図４】
0003164324.tif 000006
【図５】
0003164324.tif 000007